(57)【特許請求の範囲】
【請求項１】
ニットで形成され、乳房前面に位置するカップ部を少なくとも有して身体胸部を覆うインナーウェアにおいて、
前記カップ部を含む前身頃及び後身頃が丸編みで一体に編成され、
前記前身頃におけるカップ部の下側から後身頃にわたって身体を取囲む所定環状部分が、編地全体の中で最も強い締付力を発生可能な編組織として編成される第一領域とされ、
当該第一領域の下側に隣接して身体を取囲む所定環状部分が、第一領域より小さい締付力を発生可能な編組織として編成される第二領域とされ、
前記前身頃におけるカップ部及び当該カップ部より上側の部分が、編地全体の中で最も弱い締付力を生じさせる編組織として編成される第三領域とされ、
前記第二領域の下側に位置して前身頃から後身頃までの全周にわたって配置される帯状の裾口部が、第二領域より小さく前記第三領域より大きい締付力を発生可能な編組織として編成され、
前記第一領域が、後身頃で、前記カップ部の後方にあたる上下方向の中間部分に位置し、
前記第二領域が、後身頃における前記第一領域の上側に隣接する所定範囲部分を含み、
前記第三領域が、後身頃における前記第二領域より上側の部分を含み、
前記第一領域及び第二領域が、身体を取囲む周方向と直交する縦方向へ連続する細い凸条を前記周方向に所定間隔で多数並列に配置した表面形状となるフロート編の編組織として編成されることを
特徴とするインナーウェア。
【請求項２】
前記請求項１に記載のインナーウェアにおいて、
前記カップ部内側に配置される弾性材製のパッドと、
当該パッドを収容可能な袋状体として編成され、袋状体外周部のうち上部を前記前身頃における襟ぐり部に、且つ側部を前身頃側部に、それぞれ縫着されて前身頃内面側に一体に配置されるパッド収容部とを備えることを
特徴とするインナーウェア。
【請求項３】
前記請求項１又は２に記載のインナーウェアにおいて、
前記カップ部側部と前記第一領域との間に、前記第二領域と略同じ締付力を生じさせる編組織として編成される第四領域が配置されることを
特徴とするインナーウェア。
【発明の詳細な説明】
【技術分野】
【０００１】
本発明は、女性の胸部を中心に装着されるブラジャー等のインナーウェアに関し、特に、ニットからなり、着用感に優れ、着用部位にずれなく適切に位置させられるインナーウェアに関する。
【背景技術】
【０００２】
女性用インナーウェアのうち、ブラジャーは、カップ部で乳房を覆ってこれを支え、形を補整するものであり、一般的にはカップ部とストラップ（肩紐）やベルトなど複数のパーツとを組合わせて縫着一体化させた構造となっている。
【０００３】
こうした従来のブラジャーは補整を重視した構造により伸縮性に乏しく、特にアンダーバスト部における締付けが強く、着用状態で圧迫感や窮屈感があったため、この従来のブラジャーに対し、カップ部を含む全体を伸縮性に優れたニットで構成し、着用感を改善したいわゆるハーフトップ等のインナーウェアが従来から種々提案されており、その一例として、特開２００１−８１６０２号公報や特開２００３−１９３３０２号公報に記載されるものがある。
【０００４】
この従来のインナーウェアでは、丸編みにより一体に編成された構造とされることで継目を生じさせず、また十分な伸縮性により過度な圧迫等もなく、快適な着用状態が得られることとなる。
【特許文献１】特開２００１−８１６０２号公報
【特許文献２】特開２００３−１９３３０２号公報
【発明の開示】
【発明が解決しようとする課題】
【０００５】
ブラジャーとして機能する従来のインナーウェアは前記特許文献に記載されるような構成となっており、過度の締付けや継目による違和感も無く着用できるものの、ニットで構成されるという性質上、一般的なワイヤ入りブラジャーのように強力な補整力を付与することは難しく、且つ着用状態で身体を動かした際にずれ上がりやずれ下がりが生じやすいという課題を有していた。このようなずれ上がりやずれ下がりを生じにくくするために、最下部にある帯状の裾口部を、強力な締付力が得られる状態に編成したものもあったが、着用するとこの裾口部が身体に食込んで着用痕が付いたり、かゆみを感じたりするなどの弊害が生じるという課題を有していた。
【０００６】
本発明は前記課題を解決するためになされたもので、過度な締付けが無く、着用に伴って圧迫感や違和感を感じさせないと共に、ずれにくく確実な着用状態を維持できるインナーウェアを提供することを目的とする。
【課題を解決するための手段】
【０００７】
本発明に係るインナーウェアは、ニットで形成され、乳房前面に位置するカップ部を少なくとも有して身体胸部を覆うインナーウェアにおいて、前記カップ部を含む前身頃及び後身頃が丸編みで一体に編成され、前記前身頃におけるカップ部の下側から後身頃にわたって身体を取囲む所定環状部分が、編地全体の中で最も強い締付力を発生可能な編組織として編成される第一領域とされ、当該第一領域の下側に隣接して身体を取囲む所定環状部分が、第一領域より小さい締付力を発生可能な編組織として編成される第二領域とされ、前記前身頃におけるカップ部及び当該カップ部より上側の部分が、編地全体の中で最も弱い締付力を生じさせる編組織として編成される第三領域とされ、前記第二領域の下側に位置して前身頃から後身頃までの全周にわたって配置される帯状の裾口部が、第二領域より小さく前記第三領域より大きい締付力を発生可能な編組織として編成されるものである。
【０００８】
このように本発明においては、カップ部を含む全体を丸編みで一体に編成し、カップ部の下側から後身頃にわたって身体を取囲む第一領域が最も強い締付力を発生させる編組織とされ、この第一領域の上下両側に段階的に締付力を弱くしていくように第二領域、第三領域、及び裾口部の各編組織を配置することにより、締付力を分散させつつカップ部の周囲部分を身体に密着させられ、カップ部をずれなく保持できることとなり、着用時に局所的な圧迫等を感じさせることなくカップ部内側に位置する乳房を適切に支えることができ、ブラジャーとしての機能を確実に発揮させられると共に、丸編みによる継目の無い仕上り形状とも相まって、着用状態の違和感や圧迫感を軽減して快適性を大きく向上させられる。
【０００９】
また、本発明に係るインナーウェアは必要に応じて、前記カップ部内側に配置される弾性材製のパッドと、当該パッドを収容可能な袋状体として編成され、袋状体外周部のうち上部を前記前身頃における襟ぐり部に、且つ側部を前身頃側部に、それぞれ縫着されて前身頃内面側に一体に配置されるパッド収容部とを備えるものである。
【００１０】
このように本発明においては、パッドをパッド収容部に収容した状態でカップ部内側に配置し、乳房とカップ部との間に位置させることにより、パッドをパッド収容部に収容して着脱を容易にしながら確実にカップ部内側に保持でき、従来の一般的なパッド入りブラジャー同様の胸部形状と補整の感触を得られることとなり、従来同様の使い勝手を確保してあらゆる機会で問題なく使用できる。
【００１１】
また、本発明に係るインナーウェアは必要に応じて、前記カップ部側部と前記第一領域との間に、前記第二領域と略同じ締付力を生じさせる編組織として編成される第四領域が配置されるものである。
【００１２】
このように本発明においては、カップ部側部と第一領域との間に第四領域を介在させ、締付力の差の大きいカップ部と第一領域とがカップ部側部で直接隣合わないようにすることにより、第一領域とカップ部との伸縮状態の相違でカップ部側部にしわが寄ったり浮上がったりする等の、カップ部側部が過剰に立体化した形状となるのを抑えることができ、体側面から滑らかに連続する乳房側部形状に対応させて、カップ部側部から第一領域に至る部分における編地表面形状を過度に立体化することなく自然な連続状態として、この部分を着用状態で身体側に密着させられ、着用にあたって違和感を生じさせず、優れた着用感を与えて快適性を大きく向上させられる。
【００１３】
また、本発明に係るインナーウェアは必要に応じて、前記第一領域及び第二領域が、身体を取囲む周方向と直交する縦方向へ連続する細い凸条を前記周方向に所定間隔で多数並列に配置した表面形状となるフロート編の編組織として編成されるものである。
【００１４】
このように本発明においては、フロート編で多数の凸条による縦縞模様が生じた表面形状の編組織を得、編地に対して凸条が連続する縦方向における一種の剛性を付与することにより、第一領域及び第二領域における編地を縦方向に折れ曲りにくくして編地と身体側との密着状態を維持でき、第一領域及び第二領域で締付力を広い範囲に分散して締付力が局所的に集中するのを防げ、着用感をより優れたものとすることができると共に、ずれにくく安定した装着状態を維持可能となる。
【００１５】
また、本発明に係るインナーウェアは必要に応じて、前記第二領域が、後身頃における前記第一領域の上側に隣接する所定範囲部分を含み、前記第三領域が、後身頃における前記第二領域より上側の部分を含んでなるものである。
【００１６】
このように本発明においては、カップ部の後方に位置する後身頃部分で、カップ部のある正面側同様に、第一領域の上下両側に段階的に締付力を弱くしていくように第二領域及び第三領域の各編組織を配置することにより、締付力を分散させつつカップ部両側を繋ぐ後身頃部分を身体に密着させられ、カップ部をずれなく保持できることとなり、着用時に局所的な圧迫等を感じさせることなく、さらにずれにくく安定した装着状態を維持可能となる。
【発明を実施するための最良の形態】
【００１７】
以下、本発明の一実施形態を図１ないし図５に基づいて説明する。本実施形態においては、インナーウェアとして、いわゆるハーフトップの例について説明する。図１は本実施形態に係るインナーウェアの非着用状態正面図、図２は本実施形態に係るインナーウェアの非着用状態背面図、図３は本実施形態に係るインナーウェアの裏返し状態正面図、図４は本実施形態に係るインナーウェアの着用状態側面図、図５は本実施形態に係るインナーウェアの着用状態説明図である。
【００１８】
前記各図において本実施形態に係るインナーウェア１は、丸編みで一体編成される前身頃１１及び後身頃１２と、前記前身頃１１の内側上部に縫着固定される袋状のパッド収容部２０と、パッド収容部２０に収容装着される二つのパッド３０とを備える構成である。
【００１９】
このインナーウェア１の前身頃１１及び後身頃１２からなる本体部分の編地各部が、編地全体の中で最も強い締付力を発生可能な編組織として編成される第一領域１５と、この第一領域１５より小さい締付力を発生可能な編組織として編成される第二領域１６と、編地全体の中で最も弱い締付力を生じさせる編組織として編成される第三領域１７と、最下部の開口縁である裾口部１８とからなる構成である。インナーウェア１におけるこれら各部の配置状態は、装着される身体の中心線について左右対称となっている。
【００２０】
このインナーウェア１は、乳房前面に位置する左右一体のカップ部１３を含む前身頃１１と後身頃１２とを丸編みで一体に編成されるものの、インナーウェア１の外形状そのものは、身体胸部を覆うハーフトップとしての公知の形状であり、詳細な説明を省略する。このインナーウェア１のうち、前身頃１１側のストラップ１１ａと後身頃１２側のストラップ１２ａは、丸編みによる全体編成の後、縫着により一体接合される。身体形状に対応させて、後身頃１２側のストラップ１２ａを前身頃１１側より長くし、ストラップ同士の縫着位置を前寄りとされる構成である。
【００２１】
前記第一領域１５は、前身頃１１におけるカップ部１３の下側からカップ部１３の側部、さらに後身頃１２にわたって身体を取囲む所定環状部分であり、編地全体の中で最も強い第一の締付力を発生可能な伸縮性に富んだ編組織として編成されるものである。後身頃１２では、図２、図４に示すように、第一領域１５は略帯状の領域として、カップ部１３のちょうど後方にあたる上下方向の中間部分に位置している。この第一領域１５における編地の伸びに対する抵抗は、縦方向よりも横方向の方が大きく、横方向に伸びにくくしていることで、身体を取囲む周方向に最も強い締付力を得られる仕組みとなっている。
【００２２】
前記第二領域１６は、第一領域１５の下側に隣接して身体を取囲む所定環状部分、及び第一領域１５のうちカップ部１３の側部から後身頃１２にわたる部位の上側に隣接する所定範囲部分であり、それぞれ第一領域１５における第一の締付力より小さい第二の締付力を発生可能な伸縮性に富んだ編組織として編成されるものである。この第二領域１６における編地の伸びに対する抵抗は、横方向よりも縦方向の方が大きく、横方向に若干伸びやすくしていることで、身体を取囲む周方向について第一領域１５の場合より弱い締付力を得られる仕組みとなっている。
【００２３】
これら第一領域１５及び第二領域１６は、いずれも身体を取囲む周方向と直交する縦方向へ連続する細い凸条を前記周方向に所定間隔で多数並列に配置した表面形状となるフロート編の編組織として編成されており、編地に対して凸条が連続する縦方向における一種の剛性を付与していることで、第一領域１５及び第二領域１６における編地を縦方向に折れ曲りにくくしており、着用状態で編地と身体側との密着状態を維持でき、第一領域１５及び第二領域１６で締付力を広い範囲に分散して締付力が局所的に集中するのを防げる仕組みである。
【００２４】
前記第三領域１７は、前身頃１１におけるカップ部１３及びカップ部より上側のストラップ１１ａを含んだ部分、及び後身頃１２における前記第二領域１６より上側のストラップ１２ａを含んだ部分であり、編地全体の中で最も弱い第三の締付力を生じさせる伸縮性に富んだ編組織として、プレーン編により編成されるものである。この第三領域１７における編地の伸縮性は、横方向と縦方向とでほぼ同様となっており、着用時に身体側の複雑な形状となっている対応部位に確実にフィット状態とすることができる仕組みである。
【００２５】
前記裾口部１８は、第一領域１５より下方にある前記第二領域１６の下側に位置して前身頃１１から後身頃１２までの全周にわたって帯状に配置される本体部１０における最下部の部位であり、第二領域１６における第二の締付力より小さく前記第三領域１７における第三の締付力より大きい第四の締付力を発生可能な伸縮性に富んだ編組織として編成されるものである。
【００２６】
この裾口部１８は丸編みで他部分と連続して編成されるが、編成後、下半分を内側に折返して縫着されており、二重化された状態となっている。そして、裾口部１８における編地の伸びに対する抵抗は、横方向より縦方向の方が著しく大きく、縦方向に比べて横方向に伸びやすくしていることで、身体を取囲む周方向について第二領域１６の場合よりさらに弱い締付力を得られる仕組みとなっている。
【００２７】
前記第四領域１９は、カップ部１３側部と第一領域１５との間に挟まれた所定範囲部分であり、それぞれ第二領域１６における第二の締付力と略同じ締付力を発生可能な伸縮性に富んだ編組織として編成されるものである。この第四領域１９においても、第二領域１６同様、身体を取囲む周方向について第一領域１５の場合より弱い締付力を得られる仕組みとなっている。
【００２８】
この第四領域１９をカップ部１３側部と第一領域１５との間に介在させ、締付力の差の大きいカップ部１３と第一領域１５とがカップ部側部において直接隣合わないようにすることで、第一領域１５とカップ部１３との伸縮状態の相違でカップ部１３が立体化した形状となるのを、カップ部１３側部においては抑えることができ、体側面から滑らかに連続する乳房側部形状に対応させて、このカップ部１３側部から第四領域１９を介して第一領域１５に至る部分における編地表面形状を過度に立体化させることなく自然な連続状態として、この部分を着用状態で身体側に密着させられることとなる。
【００２９】
前記パッド収容部２０は、左右の各パッド３０をまとめて内部に収容可能な袋状体として、且つ前記第三領域１７同様の編組織としてプレーン編により編成され、この袋状体外周部のうち上部を前身頃１１における襟ぐり部に、且つ側部を前身頃１１側部に、それぞれ縫着されて前身頃１１内面側に一体に配置される構成である。このパッド収容部２０に対してパッド３０は、パッド収容部２０の縫着された上部と側部の間にある未縫着部分で、ちょうど前身頃１１の袖ぐり部分に位置するパッド収容部２０の上隅部の開口２１から出し入れすることとなる。パッド収容部２０の中央部は、パッド３０が乳房前方から横にずれないよう縫着等により仕切られる構成である。
【００３０】
前記パッド３０は、スポンジ等の弾性材で形成され、カップ部１３内側に配置される公知の形状及び構造であり、詳細な説明を省略する。なお、このパッド３０は、構成する素材の性質によって、制菌、消臭、吸水、速乾性等の機能を備えるようにすることができる。
【００３１】
次に、本実施の形態に係るインナーウェアの使用状態について説明する。着用者がこのインナーウェア１における襟ぐり部の開口から頭部を出し、且つ袖ぐり部の開口から腕を出して、インナーウェア１を胸部に着用した状態では、インナーウェア１の本体部分をなす前身頃１１と後身頃１２の各部分が適宜伸縮して、胸部を中心とする身体の着用部位に適切に密着することとなる。
【００３２】
この着用状態では、前身頃１１のカップ部１３がそれぞれ内側のパッド収容部２０及びパッド３０を介して乳房を覆って支持する一方、乳房下側とその後方の広い領域に密着する前身頃１１と後身頃１２の他部分が、十分な伸縮性を有して身体の動きに対し追従して伸縮し、着用者の身体を大きく動かす運動を経た場合でも大きくずれることはなく、着用部位に密着した状態を保ち、カップ部１３で乳房を支持して外観を保持するブラジャーとしての機能を維持すると共に、着用感も変化しない。
【００３３】
このように本実施形態に係るインナーウェアにおいては、カップ部１３を含む全体を丸編みで一体に編成し、カップ部１３の下側から後身頃１２にわたって身体を取囲む第一領域１５が最も強い締付力を発生させる編組織とされ、この第一領域１５の上下両側に段階的に締付力を弱くしていくように第二領域１６、第三領域１７、及び裾口部１８の各編組織を配置することから、締付力を分散させつつカップ部１３の周囲部分を身体に密着させられ、カップ部１３をずれなく保持できることとなり、着用時に局所的な圧迫等を感じさせることなくカップ部１３内側に位置する乳房を適切に支えることができ、ブラジャーとしての機能を確実に発揮させられると共に、丸編みによる継目の無い仕上り形状とも相まって、着用状態の違和感や圧迫感を軽減して快適性を大きく向上させられる。
【００３４】
なお、前記実施形態に係るインナーウェアとして、ハーフトップの例を示して説明しているが、これに限らず、チューブトップ、タンクトップ、キャミソール、キャミソール型ハーフトップなど、ブラジャー同様にカップ部を有して丸編みにより編成可能な構造であれば、前記実施形態同様の構成を適用できる。
【００３５】
また、前記実施形態に係るインナーウェアにおいて、第一領域１５を挟む第二領域１６で、第一領域１５より小さい所定の締付力を一様に発生させる構成としているが、これに限らず、第二領域を、身体を取囲む周方向と直交する縦方向について第一領域１５から離れるほど、生じる締付力を段階的もしくは連続的に弱く変化させていく編組織として編成する構成とすることもでき、締付力の強い第一領域から離れるに従って身体側に伝わる締付力をより細かい段階に分けて徐々に弱くしていくことで、編地各部における締付力の変化を緩やかなものとして、編地の伸縮状態を自然な連続状態として着用状態で外観や着用感に違和感を生じさせず、快適性をより一層向上させられる。
【図面の簡単な説明】
【００３６】
【図１】本発明の一実施形態に係るインナーウェアの非着用状態正面図である。
【図２】本発明の一実施形態に係るインナーウェアの非着用状態背面図である。
【図３】本発明の一実施形態に係るインナーウェアの裏返し状態正面図である。
【図４】本発明の一実施形態に係るインナーウェアの着用状態側面図である。
【図５】本発明の一実施形態に係るインナーウェアの着用状態説明図である。
【符号の説明】
【００３７】
１              インナーウェア
１０            肌着本体
１１            前身頃
１１ａ、１２ａ  ストラップ
１２            後身頃
１３            カップ部
１５            第一領域
１６            第二領域
１７            第三領域
１８            裾口部
１９            第四領域
２０            パッド収容部
２１            開口
３０            パッド
【図１】
0005019996.tif 000002
【図２】
0005019996.tif 000003
【図３】
0005019996.tif 000004
【図４】
0005019996.tif 000005
【図５】
0005019996.tif 000006